(57)【特許請求の範囲】
【請求項１】
第１の基地局と接続して前記第１の基地局と無線通信を行った後、第２の基地局配下に移動した端末における無線通信方法において、
前記第１の基地局配下において省電力待機状態に移行した前記端末は、前記第２の基地局から再接続指示を受信した場合に、前記再接続指示を送信した前記第２の基地局の電波強度と当該第２の基地局に隣接する第３の基地局の予想される電波強度との比較を行い、
前記比較により、前記第３の基地局の予想される電波強度が前記再接続指示を送信した前記第２の基地局の電波強度より高くなるとき、前記端末は前記再接続指示を送信した前記第２の基地局に再接続しないで前記第３の基地局に再接続する、
ことを特徴とする無線通信方法。
【請求項２】
第１の基地局と接続して前記第１の基地局と無線通信を行った後、第２の基地局配下に移動した端末における無線通信方法において、
前記第１の基地局配下において省電力待機状態に移行した前記端末は、ユーザデータを送信するため省電力待機状態を解除するとき、前記端末が最後に位置登録を行った前記第２の基地局の電波強度と当該第２の基地局に隣接する第３の基地局の予想される電波強度との比較を行い、
前記比較により、前記第３の基地局の予想される電波強度が、前記端末が最後に位置登録を行った前記第２の基地局の電波強度より高くなるとき、前記端末は最後に位置登録を行った前記第２の基地局に再接続しないで前記第３の基地局に再接続する、
ことを特徴とする無線通信方法。
【請求項３】
第１の基地局と接続して前記第１の基地局と無線通信を行った後、第２の基地局配下に移動した端末において、
前記第１の基地局配下において省電力待機状態に移行し、再接続指示を前記第２の基地局から受信したとき、前記再接続指示を送信した前記第２の基地局の電波強度と当該第２の基地局に隣接する第３の基地局の予想される電波強度との比較を行う判定部と、
前記比較により、前記第３の基地局の予想される電波強度が前記再接続指示を送信した前記第２の基地局の電波強度より高くなるとき、前記端末は前記再接続指示を送信した前記第２の基地局に再接続しないで前記第３の基地局に再接続する送受信処理部と、
を備えることを特徴とする端末。  
【請求項４】
第１の基地局と接続して前記第１の基地局と無線通信を行った後、第２の基地局配下に移動した端末において、
前記第１の基地局配下において省電力待機状態に移行し、ユーザデータを送信するため省電力待機状態を解除するとき、前記端末が最後に位置登録を行った前記第２の基地局の電波強度と当該第２の基地局に隣接する第３の基地局の予想される電波強度との比較を行う判定部と、
前記比較により、前記第３の基地局の予想される電波強度が、前記端末が最後に位置登録を行った前記第２の基地局の電波強度より高くなるとき、前記端末は最後に位置登録を行った前記第２の基地局に再接続しないで前記第３の基地局に再接続する送受信処理部と、
を備えることを特徴とする端末。
【発明の詳細な説明】
【技術分野】
【０００１】
本発明は、無線通信方法、無線通信を行う端末装置に関する。
【背景技術】
【０００２】
無線通信方式の一つであるＷｉＭＡＸは、接続基地局（ＳＢＳ：Serving Base Station）から電波強度の高い隣接基地局（ＢＳ：Base Station）に移動端末（ＭＳ：Mobile Station）の接続を切替えるハンドオーバ手順を定義する（例えば、以下の非特許文献１）。
【０００３】
しかし、かかるハンドオーバ手順において、移動端末は基地局とユーザデータを送受信しない場合であっても、新たな接続先の基地局との間で制御メッセージを送受信する。制御メッセージの送受信により、エア帯域が冗長に使用される。
【０００４】
そこで、ＷｉＭＡＸはアイドルモード（Ｉｄｌｅ  Ｍｏｄｅ）と呼ばれる接続状態を定義する（以下の非特許文献１）。移動端末は、アイドルモードに移行すると省電力待機状態となり、基地局を切替えてもハンドオーバのための制御メッセージを送受信しなくてもよい。これにより、エア帯域を節約できる。
【０００５】
図９は、移動端末がアイドルモードに移行後、新たな基地局との間で再接続動作を行うまでのシーケンス例を示す図である。
【０００６】
移動端末ＭＳは、制御メッセージ（ＤＲＥＧ−ＲＥＱ，ＤＲＥＧ−ＣＭＤ）を基地局ＢＳ＃１と交換してアイドルモードに移行する（Ｓ１０１，Ｓ１０２）。ＤＲＥＧ‐ＣＭＤは、リスニングインターバル（Ｐａｇｉｎｇ  Ｌｉｓｔｅｎｉｎｇ  Ｉｎｔｅｒｖａｌ）及びアンアベイラブルインターバル（Ｐａｇｉｎｇ  Ｕｎａｖａｉｌａｂｌｅ  Ｉｎｔｅｒｖａｌ）の長さが指定される。
【０００７】
アイドルモードはこの２つのインターバルを交互に繰り返す。移動端末ＭＳは、アンアベイラブルインターバルで基地局ＢＳ＃１と通信することはなく、リスニングインターバルで制御メッセージ（Ｐａｇｉｎｇ  Ａｄｖｅｒｔｉｓｅｍｅｎｔ（ＭＯＢ＿ＰＡＧ−ＡＤＶ）メッセージ）を受信する（Ｓ１０２）。この制御メッセージは、基地局ＢＳから移動端末ＭＳへのアクションコード（網への再接続指示など）が指定される。
【０００８】
次いで、移動端末ＭＳは基地局ＢＳ＃１の電波が弱くなると基地局ＢＳ＃２へ切替える（Ｓ１０３）。このとき移動端末ＭＳは、アイドルモード中のため、新たな基地局ＢＳ＃２との間でハンドオーバのための制御メッセージを交換しない。移動端末ＭＳは、リスニングインターバルで基地局ＢＳ＃２から、ＭＯＢ＿ＰＡＧ‐ＡＤＶメッセージを受信できればよい（Ｓ１０２，Ｓ１０４）。
【０００９】
そして、移動端末ＭＳは、基地局ＢＳ＃２から、アクションコードとして「Ｅｎｔｅｒ  Ｎｅｔｗｏｒｋ」（基地局ＢＳ＃２が移動端末ＭＳ宛にユーザデータを送信する必要があるため移動端末ＭＳの起動を促すコード）を含むＭＯＢ＿ＰＡＧ‐ＡＤＶメッセージを受信する（Ｓ１０５）。
【００１０】
移動端末ＭＳはこのメッセージを受信すると、基地局ＢＳ＃２に対して再接続動作（Ｒｅ‐ｅｎｔｒｙ）を行う（Ｓ１０６）。これにより、移動端末ＭＳはアイドルモードを解除して基地局ＢＳ＃２からのユーザデータを受信できる。
【００１１】
上述した例はダウンリンク方向である。アップリンク方向では移動端末ＭＳがユーザデータを送信したいときに、自ら再接続動作を行う（Ｓ１０６）。移動端末ＭＳは、「Ｅｎｔｅｒ  Ｎｅｔｗｏｒｋ」のアクションコードを含むＭＯＢ＿ＰＡＧ‐ＡＤＶメッセージを受信することなく、自ら再接続動作を行う。
【非特許文献１】IEEE 802.16e-2005
【発明の開示】
【発明が解決しようとする課題】
【００１２】
しかしながら、移動端末ＭＳが基地局ＢＳ＃２のセル境界付近に位置するとき、移動端末ＭＳはアイドルモードを解除して基地局ＢＳ＃２と再接続した後、すぐに隣接基地局とハンドオーバするために再度、再接続動作を行う必要が生じる。
【００１３】
例えば、図９に示すように、移動端末ＭＳは基地局ＢＳ＃２と再接続動作（Ｓ１０６）後、電波強度低下を検出し、基地局ＢＳ＃２にハンドオーバ手順を実行し（Ｓ１０８〜Ｓ１１１）、基地局ＢＳ＃３と再接続動作を行う（Ｓ１１２）。
【００１４】
その結果、移動端末ＭＳは２つの基地局ＢＳ＃２，ＢＳ＃３に対して再接続動作を行うことになり（Ｓ１０６，Ｓ１１２）、制御メッセージが冗長に送受信され、エア帯域が冗長に使用される。
【００１５】
アップリンク方向についても同様に、移動端末ＭＳは２つの基地局ＢＳ＃２，ＢＳ＃３に対して再接続動作を行う。そのため、同様にエア（無線）帯域が冗長に使用される。
【００１６】
そこで、本発明は上記問題点に鑑みてなされたものでその目的は、エア帯域の使用を削減した無線通信方法、端末装置、及び無線通信システムを提供することにある。
【課題を解決するための手段】
【００１７】
上記目的を達成するために、本発明の一実施態様によれば、基地局と端末との間で無線通信する無線通信方法において、省電力待機状態にある前記端末は、前記基地局から再接続指示を受信した場合に、前記再接続指示を送信した前記基地局と当該基地局に隣接する隣接基地局の電波強度の比較を行い、前記端末は該比較の結果に応じて、前記再接続指示を送信した前記基地局に再接続するかしないかの制御を行う。
【００１８】
また、上記目的を達成するために、本発明の他の実施態様によれば、基地局と端末との間で無線通信する無線通信方法において、省電力待機状態にある前記端末は、ユーザデータを送信するため省電力待機状態を解除するとき、前記端末が最後に位置登録を行った前記基地局と当該基地局に隣接する隣接基地局の電波強度の比較を行い、該比較の結果に応じて、前記端末が最後に位置登録を行った前記基地局に再接続するかしないかの制御を行う。
【００１９】
さらに、上記目的を達成するために、本発明の他の実施態様によれば、基地局との間で無線通信する端末において、省電力待機状態で再接続指示を前記基地局から受信したとき、前記再接続指示を送信した前記基地局と当該基地局に隣接する隣接基地局との電波強度の比較を行う判定部と、該比較の結果に応じて前記再接続指示を送信した前記基地局に再接続するかしないかの処理を切り替える送受信処理部とを備える。
【００２０】
さらに、上記目的を達成するために、本発明の他の実施態様によれば、基地局との間で無線通信する端末において、ユーザデータを送信するため省電力待機状態を解除するとき、前記端末が最後に位置登録を行った前記基地局と当該基地局に隣接する隣接基地局の電波強度の比較を行う判定部とを備える。
【発明の効果】
【００２１】
本発明によれば、エア（無線）帯域の使用を削減した無線通信方法、端末装置、及び無線通信システムを提供するができる。
【発明を実施するための最良の形態】
【００２２】
以下、図面を参照して本発明を実施するための最良の形態を説明する。
【００２３】
図１は無線通信システム１のネットワーク構成例を示す図である。無線通信システム１は、基地局装置（以下、「基地局」）（ＢＳ＃１〜ＢＳ＃３）１０‐１〜１０‐３と、端末装置（以下、「移動端末」）（ＭＳ）２０、及び上位装置５０を備える。
【００２４】
図１は、移動端末２０が基地局１０‐１から基地局１０‐２を経由して基地局１０‐３に移動する様子を示す。なお、各基地局１０‐１〜１０‐３のまわりの円は各基地局１０‐１〜１０‐３からの電波到達範囲（セル範囲）を示す。
【００２５】
上位装置５０は例えばゲートウェイ（ＡＳＮ‐ＧＷ）である。上位装置５０はページングコントローラ５１を備え、ページングコントローラ５１は移動端末２０のＭＳコンテキスト（接続パラメータ）を保持する。
【００２６】
図２は基地局１０‐１〜１０‐３、図３は移動端末２０の各構成例を示す図である。なお、各基地局１０‐１〜１０‐３は同一構成のため、とくに断らない限り基地局１０として説明する。
【００２７】
基地局１０は、エア区間送受信処理部１１と、ネットワークエントリ処理部１２と、ハンドオーバ処理部１３と、バックボーン送受信部１４と、アイドルモード処理部１５とを備える。
【００２８】
エア区間送受信処理部１１は、各処理部１２等からの各種メッセージを電波に変換して移動端末２０に送信するとともに、移動端末２０から受信した電波から各種メッセージを取り出し各処理部１２等で出力する。
【００２９】
ネットワークエントリ処理部１２は、移動端末２０が基地局１０へ接続するための登録手続きプロトコルを処理する。具体的には、ネットワークエントリ処理部１２は、制御メッセージを生成してエア区間送受信処理部１１を介して移動端末２０に送信し、移動端末２０からの制御メッセージをエア区間送受信処理部１１を介して受信する。また、ネットワークエントリ処理部１２は登録手続きプロトコルにより新たに移動端末２０を登録したとき、移動端末２０の登録をハンドオーバ処理部１３に通知する。このとき、ネットワークエントリ処理部１２は登録手続きにより移動端末２０から得られたＭＳコンテキスト（接続パラメータ）をハンドオーバ処理部１３に出力する。
【００３０】
ハンドオーバ処理部１３は、移動端末２０をハンドオーバさせるときハンドオーバ手順を実行する。また、ハンドオーバ処理部１３は、ＭＳコンテキストを保持し、ハンドオーバ先の基地局にバックボーン送受信部１４を介してＭＳコンテキストを送信する。さらに、ハンドオーバ処理部１３はアイドルモードへの移行をアイドルモード処理部１５から通知されたとき、ＭＳコンテキストの一時的なバッファリングを上位装置５０に要求する。なお、基地局１０がハンドオーバ先の基地局（Ｔａｒｇｅｔ  ＢＳ）の場合、ハンドオーバ処理部１３は、ネットワークエントリ処理部１２から移動端末２０の登録が通知されると、バックボーン送受信部１４を介して、ハンドオーバ元の基地局や上位装置５０から移動端末２０のＭＳコンテキストを要求して当該テキストを保持する。
【００３１】
バックボーン送受信部１４は他の基地局や上位装置５０とバックボーンネットワークを介して接続され、ＭＳコンテキストや各種メッセージを送受信する。
【００３２】
アイドルモード処理部１５は、アイドルモードにおけるプロトコル処理を行う。例えば、移動端末２０からエア区間送受信処理部１１を介してＤＲＥＧ‐ＲＥＱ（アイドルモードへの移行要求メッセージ）を受信したとき、アイドルモードの各種メッセージ（ＤＲＥＧ‐ＣＭＤなど）を生成し、エア区間送受信処理部１１を介して移動端末２０に送信する。また、アイドルモード処理部１５は、移動端末２０宛のユーザデータ等をハンドオーバ処理部１３が受信したとき、当該移動端末２０に網再接続指示（アクションコード「Ｅｎｔｅｒ  Ｎｅｔｗｏｒｋ」を含むＭＯＢ＿ＰＡＧ‐ＡＤＶ）を移動端末２０に送信する。
【００３３】
図３は移動端末２０の構成例を示す図である。移動端末２０は、エア区間メッセージ送受信処理部（以下、「メッセージ送受信部」）２１と、隣接情報受信部２２と、Ｎｅｉｇｈｂｏｒ  ＢＳテーブル（以下、「隣接テーブル」）２３と、電波強度計算部２４と、時間変分計算部２５と、網接続処理部２６と、アイドルプロトコル処理部２７と、ＢＳ切替え処理部２８、及び判定部２９を備える。
【００３４】
メッセージ送受信部２１は、設定した基地局１０からのフレームに同期し、各種メッセージの送受信を行うとともに、同期するフレームの電波強度を測定する。
【００３５】
隣接情報受信部２２は、メッセージ送受信部２１を介して接続先の基地局（Ｓｅｒｖｉｎｇ  ＢＳ）１０から隣接基地局情報メッセージを受信し、当該メッセージに含まれる情報を隣接テーブル２３に記憶する。
【００３６】
隣接テーブル２３は、隣接基地局に関する情報（ＢＳＩＤなど）を記憶する。また、隣接テーブル２３は隣接基地局ごとに電波強度（本実施例ではＣＩＮＲ（Carrier to Interference plus Noise Ratio））の時間変分も記憶する。
【００３７】
電波強度計算部２４は、メッセージ送受信部２１で測定した電波強度に基づいて、電波強度を加工等することで電波強度の値を計算する。
【００３８】
時間変分計算部２５は、電波強度計算部２４からの電波強度に基づいて、電波強度の平均と電波強度が時間とともにどれだけ変化したかを示す時間変分（微分値）とを計算し、隣接テーブル２３に記憶する。計算の詳細は後述する。
【００３９】
網接続処理部２６は、移動端末２０が網に接続するためのプロトコルメッセージを処理する。網接続処理部２６は、メッセージ送受信部２１を介して当該メッセージを基地局１０との間で送受信する。
【００４０】
アイドルプロトコル処理部２７は、アイドルモードに必要なプロトコルメッセージを処理する。アイドルプロトコル処理部２７は、アイドルモードへの移行要求メッセージ（ＤＲＥＧ‐ＲＥＱなど）を生成してメッセージ送受信部２１を介し基地局１０に送信し、メッセージ送受信部２１を介して基地局１０から受信したアイドルモードに関するメッセージ（ＤＲＥＧ‐ＣＭＤや、ＭＯＢ＿ＰＡＧ‐ＡＤＶなど）を処理する。
【００４１】
ＢＳ切替え処理部２８は、基地局１０の接続を切替えるための処理を行い、切替えのためのメッセージを生成し、メッセージ送受信部２１を介して基地局１０とメッセージを送受信する。
【００４２】
判定部２９は、隣接テーブル２３からの電波強度の時間変分やアイドルプロトコル処理部２７からの情報等に基づいて、アイドルモードを解除するタイミングを判定し、網接続処理部２６やＢＳ切替え処理部２８に網接続や基地局１０の切替えを指示する。詳細は後述する。
【００４３】
次に動作について説明する。全体動作は、アイドルモード移行フェーズ（図４）と網再接続フェーズ（図５または図７）と２つのフェーズからなる。網再接続フェーズについては、移動端末２０がセル境界に近くない場合（図５）と、セル境界に近い場合（図７）がある。
【００４４】
なお、本動作例は、図１に示すように移動端末２０が基地局１０‐１と接続しているときにアイドルモードに移行し、基地局１０‐２から基地局１０‐３に移動する例である。
【００４５】
ここで、移動端末２０がアイドルモードに移行すると、基地局１０‐１はＭＳコンテキストを上位装置５０に退避させ、ネットワーク登録状態を削除する。そのため、移動端末２０はネットワークに接続されていない状態となる。しかし、移動端末２０は、アイドルモード中であっても、基地局１０‐１に対して位置を知らせ、メッセージ（ＭＯＢ＿ＰＡＧ‐ＡＤＶ）を受信できるようにする必要がある。そのため、本実施例では、アイドルモード中において基地局１０‐１をＳｅｒｖｉｎｇ  ＢＳと区別するため、Ｐｒｅｆｅｒｒｅｄ  ＢＳ（以下、「ＰＢＳ」）と呼ぶ。図１の例では、アイドルモード移行後、まず基地局１０‐１がＰＢＳとなり、移動端末２０が基地局１０‐２のセル範囲に移動した後は基地局１０‐２がＰＢＳとなる。ＰＢＳ１０‐１，１０‐２は移動端末２０が夫々のセル範囲内に位置するとき移動端末２０の位置登録を受け付ける。
【００４６】
アイドルモードへの移行フェーズ（図４）を説明する。移動端末２０はアイドルモードへの移行を決定すると、アイドルモードへ移行を接続基地局１０‐１に要求する（Ｓ１）。例えば、アイドルプロトコル処理部２７はアイドルモードへの移行決定に基づいて、ＤＲＧ‐ＲＥＱを生成し、メッセージ送受信部２１を介して基地局１０‐１に送信する。
【００４７】
基地局１０‐１は、ＤＲＥＧ‐ＲＥＱを受信すると、移動端末２０のＭＳコンテキストを上位装置５０に退避させ、応答メッセージであるＤＲＥＧ‐ＣＭＤを移動端末２０に送信する（Ｓ１０１）。例えば、アイドルモード処理部１５はエア区間送受信処理部１１を介してＤＲＥＧ‐ＲＥＱを移動端末２０から受信すると、ハンドオーバ処理部１３にその旨を通知する。ハンドオーバ処理部１３は内部に記憶した移動端末２０のＭＳコンテキストをバックボーン送受信部１４を介して上位装置５０に送信する。また、アイドルモード処理部１５は、ＤＲＥＧ‐ＲＥＱを受信すると、ＤＲＥＧ‐ＣＭＤを生成し、エア区間送受信処理部１１を介して移動端末２０に送信する。
【００４８】
次いで、移動端末２０はＤＲＥＧ‐ＣＭＤを受信し、アイドルモード（省電力待機状態）に移行する。移動端末２０は当該メッセージに含まれるリスニングインターバル（Ｐａｇｉｎｇ  Ｌｉｓｔｅｎｉｎｇ  Ｉｎｔｅｒｖａｌ）を読み出し、これからアンアベイラブルインターバル（Ｐａｇｉｎｇ  Ｕｎａｖａｉｌａｂｌｅ  Ｉｎｔｅｒｖａｌ）を計算し、各インターバルを交互に繰り返す（Ｓ２，Ｓ３）。例えば、アイドルプロトコル処理部２７は当該メッセージを受信すると、各インターバルをメッセージ送受信部２１に通知する。メッセージ送受信部２１はアンアベイラブルインターバルで何も受信せず、リスイングインターバルで基地局１０‐１からＭＯＢ＿ＰＡＧ‐ＡＤＶを受信する（Ｓ４）。なお、Ｓ４の処理において、当該メッセージにはアクションコード「Ｎｏ  Ａｃｔｉｏｎ  Ｒｅｑｕｉｒｅｄ」（移動端末２０は何もする必要がないこと）が含まれるものとする。
【００４９】
一方、基地局１０‐１はリスニングインターバルでＭＯＢ＿ＰＡＧ‐ＡＤＶを生成して送信する（Ｓ１０２）。例えば、アイドルモード処理部１５が当該メッセージを生成してエア区間送受信処理部１１を介して移動端末２０に送信する。各インターバルは例えばアイドルモード処理部１５のメモリに予め記憶される。
【００５０】
そして、移動端末２０は、基地局１０‐１のセル境界に移動して、Ｐｒｅｆｅｒｒｅｄ  ＢＳを基地局１０‐２に切替える（Ｓ５）。基地局１０‐２は、基地局１０‐１と同一ページンググループのため、基地局１０‐１と同じタイミングでアンアベイラブルインターバルとリスニングインターバルとを繰り返す。
【００５１】
次いで、移動端末２０が基地局１０‐２のセル範囲に移動し、基地局１０‐２はリスニングインターバルでＭＯＢ＿ＰＡＧ‐ＡＤＶを送信し（Ｓ２０１）、移動端末２０はリスニングインターバルで当該メッセージを受信する（Ｓ６）。
【００５２】
そして、基地局１０‐２は移動端末２０宛のユーザデータを検出する（Ｓ２０１）。例えば、ハンドオーバ処理部１３はバックボーン送受信部１４を介してユーザデータを受信すると、アイドルモード処理部１５にその旨を通知することで、アイドルモード処理部１５はユーザデータを検出する。
【００５３】
次いで、基地局１０‐２は、リスニングインターバルでＭＯＢ＿ＰＡＧ‐ＡＤＶを生成して移動端末２０に送信する（Ｓ２０３）。このとき、ＭＯＢ＿ＰＡＧ‐ＡＤＶにはアクションコード「Ｅｎｔｅｒ  Ｎｅｔｗｏｒｋ」（ネットワークへの再接続指示）が含まれる。例えば、アイドルモード処理部１５は当該アクションコードを含むＭＯＢ＿ＰＡＧ‐ＡＤＶを生成してエア区間送受信処理部１１を介して移動端末２０に送信する。
【００５４】
次いで、移動端末２０はこのＭＯＢ＿ＰＡＧ‐ＡＤＶを受信する（Ｓ７）。例えば、アイドルプロトコル処理部２７は当該メッセージをメッセージ送受信部２１を介して基地局１０‐２から受信する。
【００５５】
次いで、処理は網再接続フェーズに移行し（図５）、移動端末２０はアンアベイラブルインターバルにおいて隣接基地局１０‐１，１０‐３の電波強度を測定する（Ｓ８）。また、移動端末２０は再接続指示（アクションコード「Ｅｎｔｅｒ  Ｎｅｔｗｏｒｋ」を含むＭＯＢ＿ＰＡＧ‐ＡＤＶ）を送信した基地局（ＰＢＳ）１０‐２の電波強度も測定する。
【００５６】
例えば、アイドルプロトコル処理部２７が「Ｅｎｔｅｒ  Ｎｅｔｗｏｒｋ」を含むＭＯＢ＿ＰＡＧ‐ＡＤＶを受信したことを判定部２９に通知し、判定部２９は、電波強度計算部２４に隣接基地局１０‐１，１０‐３と基地局（ＰＢＳ）１０‐２の電波強度測定を問い合わせる。このとき判定部２９は、時間変分計算部２５に隣接基地局１０‐１，１０‐３の電波強度の時間変分も問い合わせる。
【００５７】
電波強度計算部２４は電波強度測定の問い合わせに対して、メッセージ送受信部２１に隣接基地局１０‐１，１０‐３と基地局（ＰＢＳ）１０‐２のＣＩＮＲ（電波強度）を測定することを指示し、測定した各ＣＩＮＲを計算する。
【００５８】
また、時間変分計算部２５は時間変分の問い合わせに対して、電波強度計算部２４で計算した各ＣＩＮＲから時間変分を計算する。計算した時間変分は隣接テーブル２３に記憶される。
【００５９】
図６は隣接テーブル２３の例を示す図である。隣接テーブル２３は、ＢＳＩＤと、ＣＩＮＲ  Ａｖｅｒａｇｅと、ΔＣＩＮＲの各フィールドを含む。ΔＣＩＮＲが上述した電波強度の時間変分を示す。
【００６０】
ＢＳＩＤは隣接基地局の識別符号であり、図６の例では基地局１０‐１，１０‐３（ＢＳ＃１，ＢＳ＃３）のＩＤを記憶する。ＢＳＩＤは例えば基地局１０‐１，１０‐３から定期的に送信される隣接基地局情報（Ｎｅｉｇｈｂｏｒ  Ａｄｖｅｒｄｉｓｅｍｅｎｔメッセージ）に含まれ、隣接情報受信部２２がこれを受信して隣接テーブル２３に記憶する。
【００６１】
ＣＩＮＲ  Ａｖｅｒａｇｅは、それまでに測定した隣接基地局のＣＩＮＲの平均値を記憶するフィールドである。時間変分計算部２５はＣＩＮＲの平均値を以下の式により計算する。
【００６２】
【数１】
0005109778.tif 000002
【００６３】
ここで、μＣＩＮＲ［ｋ］は今回（時刻ｋ）に測定した隣接基地局のＣＩＮＲに対する平均値、μＣＩＮＲ［ｋ−１］は前回（時刻ｋ−１）に測定した隣接基地局のＣＩＮＲに対する平均値、ＣＩＮＲ［ｋ］は今回測定した隣接基地局のＣＩＮＲの値、αａｖｇは定数（平均化パラメータ）である。時間変分計算部２５は、１つ前の時刻に測定したＣＩＮＲの平均値と今回測定したＣＩＮＲとを加算することによりＣＩＮＲの平均値を求める。時間変分計算部２５は数１により計算した隣接基地局１０‐１，１０‐３におけるＣＩＮＲの平均値（μＣＩＮＲ［ｋ］）を隣接テーブル２３のＣＩＮＲ  Ａｖｅｒａｇｅフィールドに記憶し更新する。
【００６４】
なお、μＣＩＮＲ［ｋ−１］は隣接テーブル２３に記憶され、ＣＩＮＲ［ｋ］は電波強度計算部２４により計算され、αａｖｇは基地局１０‐２（ＰＢＳ）からのＤＣＤメッセージなどのメッセージに含まれる。αａｖｇは時間変分計算部２５に予めパラメータとして記憶されていてもよい。時間変分計算部２５は隣接テーブル２３等からこれらの値を取り出す等して数（１）を計算する。
【００６５】
また、隣接テーブル２３のΔＣＩＮＲは、ＣＩＮＲの時間変分（微分値）を記憶するフィールドである。時間変分計算部２５は以下の式により時間変分を計算する。
【００６６】
【数２】
0005109778.tif 000003
【００６７】
ここで、ΔＣＩＮＲ［ｋ］はＣＩＮＲの時間変分、ΔＣＩＮＲ［ｋ−１］は前回（時刻ｋ−１）測定したＣＩＮＲに対する時間変分、μＣＩＮＲ［ｋ］は今回（時刻ｋ）数（１）で計算したＣＩＮＲの平均値、μＣＩＮＲ［ｋ−１］は前回計算したＣＩＮＲの平均値、Δｔは測定点の間隔である。この中で、ΔＣＩＮＲ［ｋ−１］とμＣＩＮＲ［ｋ−１］は隣接テーブル２３に記憶され、Δｔは例えば予め時間変分計算部２５が保持する値である。時間変分計算部２５は、隣接テーブル２３等からこれらの値を読み出す等により数（２）を計算し、計算した時間変分（ΔＣＩＮＲ［ｋ］）を隣接テーブル２３のΔＣＩＮＲフィールドに記憶し更新する。
【００６８】
図５に戻り、移動端末２０は、隣接基地局１０‐１，１０‐３の予想される電波強度と、再接続指示（「Ｅｎｔｅｒ  Ｎｅｔｗｏｒｋ」を含むＭＯＢ＿ＰＡＧ‐ＡＤＶ）を送信した基地局（ＰＢＳ）１０‐２の電波強度とを比較し、隣接基地局１０‐１，１０‐３の予想電波強度が再接続指示を送信した基地局（ＰＢＳ）１０‐２からの電波強度より高いか否かを判定する（Ｓ９）。判定部２９は、隣接基地基地局１０‐１，１０‐３の予想電波強度を以下の式を用いて計算する。
【００６９】
【数３】
0005109778.tif 000004
【００７０】
ここで、ＣＩＮＲＮＥＩ‐ＰＲＥは隣接基地局の予想電波強度、ΔＣＩＮＲは隣接テーブル２３に記憶されたＣＩＮＲの時間変分、ＣＩＮＲＮｅｉｇｈｂｏｒは隣接テーブル２３に記憶された現時刻（時刻ｋ）における隣接基地局のＣＩＮＲの平均値（数１のμＣＩＮＲ［ｋ］）である。また、ＴＮＥＸＴは次のページングインターバル（アンアベイラブルインターバルまたはリスニングインターバル）開始時までの時間を示す。
【００７１】
判定部２９は、ＣＩＮＲの時間変分ΔＣＩＮＲにＴＮＥＸＴを乗算することで、次のページングインターバル開始時刻までに予想されるＣＩＮＲの変化分を求め、現在の時刻における隣接基地局のＣＩＮＲの平均値（ＣＩＮＲＮｅｉｇｈｂｏｒ）を加算し、次のページングインターバル開始時刻で予想される隣接基地局１０‐１，１０‐３の電波強度（ＣＩＮＲＮＥＩ＿ＰＲＥ）を求めている。
【００７２】
判定部２９は、この予想される電波強度と、電波強度計算部２４で計算した基地局（ＰＢＳ）１０‐２の電波強度とを比較し、予想される電波強度が基地局（ＰＢＳ）の電波強度より大きいときＳ９はＹｅｓとなり、そうでないときＮｏと判定する。
【００７３】
移動端末２０は、Ｓ９でＮｏのとき、すなわち基地局（ＰＢＳ）１０‐２の電波強度の方が大きいと予想されるとき、通常の手順で基地局（ＰＢＳ）１０‐２に対して再接続を開始する（Ｓ１０）。例えば、判定部２９はＳ９でＮｏと判定したとき、網接続処理部２６に対して基地局（ＰＢＳ）１０‐２に再接続するよう指示する。そして、網接続処理部２６は、再接続のためのプロトコルメッセージを基地局（ＰＢＳ）１０‐２と送受信して再接続する（Ｓ１１）。
【００７４】
また、基地局１０‐２は上位装置５０に移動端末２０のＭＳコンテキストの取得を要求して当該コンテキストを受信する（Ｓ２０４）。基地局１０‐２はこのコンテキストに基づいてメッセージの送受信を行い、ユーザデータを移動端末２０に送信する（Ｓ２０５）。
【００７５】
一方、移動端末２０は、Ｓ９でＹｅｓのとき、すなわち隣接基地局１０‐３の予想電波強度の方が基地局（ＰＢＳ）１０‐２の電波強度より大きいと予想されるとき、基地局（ＰＢＳ）１０‐２に再接続動作を行うことなく、隣接基地局１０‐３に同期して再接続動作を行う（図７のＳ１１〜Ｓ１２）。
【００７６】
また、基地局１０‐３は移動端末２０のＭＳコンテキストを上位装置５０に要求して受信する（Ｓ３０１）。基地局１０‐３はコンテキストに基づいて移動端末２０と再接続のための制御メッセージの送受信を行い、ユーザデータを基地局１０‐２から取得して移動端末２０に送信する（Ｓ３０２）。
【００７７】
このように、移動端末２０は、隣接基地局１０‐３からの電波強度が再接続指示を受けた基地局（ＰＢＳ）１０‐２からの電波強度よりも高くなることが予想されるとき（Ｓ９でＹｅｓ）、基地局１０‐２に対して再接続動作を行うことなく、隣接基地局１０‐３に再接続動作を行う（Ｓ１２〜Ｓ１３）。従って、移動端末２０は、基地局１０‐２に対して再接続のためのメッセージを送受信することがないため、その分エア帯域を節約できる。
【００７８】
上述した例はいわゆるダウンリンク方向の例である。アップリンク方向についても同様に実施できる。図８はアップリンク方向における再接続フェーズの例を示すシーケンス図である。アイドルモードへの移行フェーズ（図４）は上述した例と同様である。
【００７９】
移動端末２０は、アイドルモードへ移行後、ユーザデータを送信するとき（Ｓ２０）、隣接基地局１０‐１，１０‐３と基地局（ＰＢＳ）１０‐２の電波強度を測定する（Ｓ８）。移動端末２０はいつでもアイドルモードを解除できるため、ページングインターバル（アンアベイラブルインターバルまたはリスニングインターバル）に拘わらずユーザデータを送信したいとき（Ｓ２０）に、隣接基地局１０‐１，１０‐３と基地局（ＰＢＳ）１０‐２の電波強度を測定すればよい。以降は上述したダウンリンク方向と同様である。
【００８０】
また、上述した例において、判定部２９は、再接続指示を送信した基地局（ＰＢＳ）１０‐２の電波強度を判定基準とした（Ｓ８，Ｓ９）。例えば、判定部２９は内部に保持した閾値を判定基準としてもよい。この場合、判定部２９は隣接基地局の方が閾値より高いときＳ９はＹｅｓ、そうでないとＮｏと判定する。
【００８１】
さらに、上述した例はＣＩＮＲを電波強度として説明した（数１〜数３）。それ以外にも、ＣＩＲ（Carrier to Interference Ratio）やＣＮＲ（Carrier to Noise Ratio）、ＳＩＮＲ（Signal to Interference plus Noise Ratio）、ＳＩＲ（Signal to Interference Ratio）、ＳＮＲ（Signal to Noise Ratio）、ラウンドトリップディレイや、ＲＳＳＩ（receive signal strength indicator）を電波強度としてもよい。この場合、隣接テーブル２３にはＳＩＮＲ等の平均値や微分値が記憶され、数１の右辺第２項をＳＩＮＲ等の測定値とすればよい。
【００８２】
さらに、上述した例は、各基地局１０‐１〜１０‐３は同一ページンググループに属する基地局として説明した。異なるページンググループに各基地局１０‐１〜１０‐３が属してもよい。各基地局１０‐１〜１０‐３はページングインターバル（アンアベイラブルインターバルとリスニングインターバル）が異なり、異なるタイミングでＭＯＢ＿ＰＡＧ‐ＡＤＶを送信するだけでそれ以外は同様に実施できるからである。
【００８３】
以上まとめると付記のようになる。
【００８４】
（付記１）
基地局と端末との間で無線通信する無線通信方法において、
省電力待機状態にある前記端末は、前記基地局から再接続指示を受信した場合に、前記再接続指示を送信した前記基地局と当該基地局に隣接する隣接基地局の電波強度の比較を行い、
前記端末は該比較の結果に応じて、前記再接続指示を送信した前記基地局に再接続するかしないかの制御を行う、
ことを特徴とする無線通信方法。
【００８５】
（付記２）
前記比較により、前記隣接基地局の電波強度が前記再接続指示を送信した前記基地局の電波強度より高くなることが予想されるとき、前記端末は前記再接続指示を送信した前記基地局に再接続しない、
ことを特徴とする付記１記載の無線通信方法。
（付記３）
前記端末は前記隣接基地局に再接続することを特徴とする付記２記載の無線通信方法。
【００８６】
（付記４）
基地局と端末との間で無線通信する無線通信方法において、
省電力待機状態にある前記端末は、ユーザデータを送信するため省電力待機状態を解除するとき、前記端末が最後に位置登録を行った前記基地局と当該基地局に隣接する隣接基地局の電波強度の比較を行い、
該比較の結果に応じて、前記端末が最後に位置登録を行った前記基地局に再接続するかしないかの制御を行う、
ことを特徴とする無線通信方法。
【００８７】
（付記５）
前記比較により、前記隣接基地局の電波強度が、前記端末が最後に位置登録を行った前記基地局の電波強度より高くなることが予想されるとき、前記端末が最後に位置登録を行った前記基地局に再接続しない、
ことを特徴とする付記４記載の無線通信方法。
【００８８】
（付記６）
前記端末は前記隣接基地局に再接続することを特徴とする付記５記載の無線通信方法。
【００８９】
（付記７）
基地局との間で無線通信する端末において、
省電力待機状態で再接続指示を前記基地局から受信したとき、前記再接続指示を送信した前記基地局と当該基地局に隣接する隣接基地局との電波強度の比較を行う判定部と、
該比較の結果に応じて前記再接続指示を送信した前記基地局に再接続するかしないかの処理を切り替える送受信処理部と、
を備えることを特徴とする端末。
【００９０】
（付記８）
前記送受信処理部は、前記比較により前記隣接基地局の電波強度が前記再接続指示を送信した前記基地局の電波強度より高くなることが予想されるとき、前記再接続指示を送信した前記基地局に再接続しない、
ことを特徴とする付記７記載の端末。
【００９１】
（付記９）
前記送受信処理部は前記隣接基地局に再接続することを特徴とする付記８記載の端末。
【００９２】
（付記１０）
基地局との間で無線通信する端末において、
ユーザデータを送信するため省電力待機状態を解除するとき、前記端末が最後に位置登録を行った前記基地局と当該基地局に隣接する隣接基地局の電波強度の比較を行う判定部と、
前記比較の結果に応じて、前記端末が最後に位置登録を行った前記基地局に再接続するかしないかを切り替える送受信処理部と、
を備えることを特徴とする端末。
【００９３】
（付記１１）
前記送受信処理部は、前記判定部により前記隣接基地局の電波強度が、前記端末が最後に位置登録を行った前記基地局の電波強度より高くなることが予想されるとき、前記端末が最後に位置登録を行った前記基地局に再接続しない、
ことを特徴とする付記１０記載の端末。
【００９４】
（付記１２）
前記送受信処理部は前記隣接基地局に再接続することを特徴とする付記１１記載の端末。  
【図面の簡単な説明】
【００９５】
【図１】図１は無線通信システムの構成例を示す図である。
【図２】図２は基地局の構成例を示す図である。
【図３】図３は移動端末の構成例を示す図である。
【図４】図４はアイドルモード移行フェーズの例を示すシーケンス図である。
【図５】図５は網再接続フェーズの例を示すシーケンス図である。
【図６】図６は隣接基地局情報テーブルの例を示す図である。
【図７】図７は網再接続フェーズの例を示すシーケンス図である。
【図８】図８は網再接続フェーズの例を示すシーケンス図である。
【図９】図９は従来のアイドルモード移行から再接続までの動作例を示すシーケンス図である。
【符号の説明】
【００９６】
１  無線通信システム、  １０（１０‐１〜１０‐３）  基地局、    １１  エア区間送受信処理部、  １２  ネットワークエントリ（Ｎｅｔｗｏｒｋ  Ｅｎｔｒｙ）処理部、  １３  ハンドオーバ（ＨＯ）処理部、  １４  バックボーン送受信部、  １５  アイドル（Ｉｄｌｅ）モード処理部、  ２０  移動端末、  ２１  エア区間メッセージ送受信処理部（メッセージ送受信部）、  ２２  隣接情報受信部、  ２３  Ｎｅｉｇｈｂｏｒ  ＢＳテーブル（隣接テーブル）、  ２４  電波強度計算部、  ２５  時間変分計算部、  ２６  網接続処理部、  ２７  アイドル（Ｉｄｌｅ）プロトコル処理部、  ２８  ＢＳ切替え処理部、  ２９  判定部、    
【図１】
0005109778.tif 000005
【図２】
0005109778.tif 000006
【図３】
0005109778.tif 000007
【図４】
0005109778.tif 000008
【図５】
0005109778.tif 000009
【図６】
0005109778.tif 000010
【図７】
0005109778.tif 000011
【図８】
0005109778.tif 000012
【図９】
0005109778.tif 000013